(57)【要約】【課題】建築物に電気配線のために壁面に設けられる開口部に施される気密構造であって、大きな開口部を設けて配線作業を容易にし、且つ、高い気密性を得ることのできる高気密セパレート構造を提供する。【解決手段】上記した課題を解決するためになされた本発明の高気密セパレート構造は、建築物に電気配線のために壁面に設けられる開口部に施される気密構造であって、開口部を被覆すると共に略箱体からなるセパレータにおいて、このセパレータは箱体の周縁に固定手段を設けてなり、固定手段によってセパレータを壁面に固定する。【選択図】図２
2010022172.tif 000002
【特許請求の範囲】
【請求項１】
建築物に電気配線のために壁面に設けられる開口部に施される気密構造であって、前記開口部を被覆すると共に略箱体からなるセパレータにおいて、該セパレータは前記箱体の周縁に固定手段を設けてなり、該固定手段によって前記セパレータを前記壁面に固定することを特徴とする高気密セパレート構造。
【請求項２】
前記高気密セパレート構造において、略箱体の周縁の必要箇所に壁面の奥行方向に伸びて形成されると共に開口部に対して設置する際に略箱体を支持するための支持部を設けたことを特徴とする請求項１に記載の高気密セパレート構造。
【発明の詳細な説明】
【技術分野】
【０００１】
本発明は、高気密セパレート構造に関するものである。
【背景技術】
【０００２】
従来、建築物に施される気密構造には特許文献１に記載されているような、壁面に形成した開口部から複数の電線を引き込んで分電盤に配線してなる分電盤の気密構造であって、開口部に挿通する電線を挟持可能に形成した気密材で挟持し、気密材が開口部を塞ぐように取り付けたものがある。
【特許文献１】特開２００７−３３６６８６
【発明の開示】
【発明が解決しようとする課題】
【０００３】
しかしながら、特許文献１に記載の発明では気密性を高めるために壁面の開口部を可能な範囲で小さくする必要があり、気密部材の大きさと等しく小さな開口部しか設けることができないという欠点があった。又、小さな開口部であるため、壁から電線を引き出す作業が容易ではないという欠点があった。
【０００４】
又、壁面に設ける開口部の開口寸法が部材のサイズによって制限されるため、小さな開口部しか設けることができないという欠点があった。
【０００５】
このため、本発明によって解決しようとする課題は、建築物に電気配線のために壁面に設けられる開口部に施される気密構造であって、
大きな開口部を設けて配線作業を容易にし、且つ、高い気密性を得ることのできる気密構造を提供することにある。
【課題を解決するための手段】
【０００６】
上記した課題を解決するためになされた本発明の高気密セパレート構造は、建築物に電気配線のために壁面に設けられる開口部に施される気密構造であって、開口部を被覆すると共に略箱体からなるセパレータにおいて、セパレータは箱体の周縁に固定手段を設けてなり、固定手段によってセパレータを壁面に固定する。
【発明の効果】
【０００７】
本発明の高気密セパレート構造によれば、電気配線等のための開口部を大きく設けることが可能である。又、開口部が大きくなるため配線作業等を容易に行うことが可能となる。
【０００８】
又、開口部にセパレータを取り付けるために配線される電線の上下の振分けを事前に行うことが可能である。又、電線の上下の振分けを事前に行うことが可能となるため、気密部材の取付けも容易に行うことが可能となる。
【０００９】
本発明では、建築物に電気配線のために壁面に設けられる開口部に対して、セパレータによって配線作業等を容易に行うことのできる気密構造を少ない部品数で可能にした。
【実施例１】
【００１０】
以下、本発明の実施の形態を説明する。
建築物に電気配線のために壁面１１、２１に設けられる開口部１２、２２に施される気密構造であって、開口部１２、２２を被覆すると共に略箱体からなるセパレータ３、１３、２３において、セパレータ３、１３、２３は略箱体の周縁に固定手段を設けてなり、固定手段によってセパレータ３、１３、２３を壁面１１、２１に固定する。セパレータ３、１３、２３に設けられる固定手段は略箱体の左右を延長してなる抜止部４、１４、２４と、必要に応じて部分的に設けられるツメ部５とからなり、抜止部４、１４、２４とツメ部５によって壁面１１、２１を挟み込むことでセパレータ３、１３、２３を固定する。セパレータ３、１３、２３を用いることにより、電線１７、２７を配線するために壁面１１、２１に設ける開口部１２、２２を大きくすることが可能となり、開口部１２、２２が大きくなるため電線１７、２７の配線作業等を容易に行うことが可能となる。又、セパレータ３、１３、２３によって電線１７、２７の上下振分けを事前に行うことが可能となるため、誤った配線をする可能性を低くすることが可能となり、後に気密部材２８を加える場合であっても、配線作業等を容易に行うことが可能となる。
【００１１】
又、既存の気密部材と併せて用いる際には略箱体の四隅に壁面１１、２１の奥行方向に伸びて形成されると共に開口部１２、２２に対して設置する際に略箱体を支持するための支持部２９を設けることにより、セパレータ３、１３、２３と気密部材２８のお互いの位置を安定させることが可能である。又、先にセパレータ３、１３、２３によって電線１７、２７を上下に振り分けているため、気密部材２８の取り付けを容易に行うことが可能となる。
【００１２】
なお、支持部の数及び設ける位置については本実施例における略箱体の四隅に限定されるものではなく、本発明の趣旨を変更しない範囲で適宜変更可能である。
【実施例２】
【００１３】
建築物に電気配線のために壁面３１に設けられる開口部３２に施される気密構造であって、開口部３２を被覆すると共に略箱体からなるセパレータ３３において、セパレータ３３は略箱体の周縁に固定手段を設けてなり、固定手段によってセパレータ３３を壁面３１に固定する。セパレータ３３に設けられる固定手段は略箱体の左右を延長してなる抜止部３４と、抜止部３４にネジ孔３６を設け、壁面３１に直接セパレータ３３を固定する。セパレータ３３を用いることにより、電線３７を配線するために壁面３１に設ける開口部３２を大きくすることが可能となり、開口部３２が大きくなるため電線３７の配線作業等を容易に行うことが可能となる。又、セパレータ３３によって電線３７の上下振分けを事前に行うことが可能となるため、誤った配線をする可能性を低くすることが可能となり、後に気密部材３８を加える場合であっても、配線作業等を容易に行うことが可能となる。
【００１４】
又、既存の気密部材３８と併せて用いる際には略箱体の四隅に壁面３１の奥行方向に伸びて形成されると共に開口部３２に対して設置する際に略箱体を支持するための支持部３９を設けることにより、セパレータ３３と気密部材３８のお互いの位置を安定させることが可能である。又、先にセパレータ３３によって電線３７を上下に振り分けているため、気密部材３８の取り付けを容易に行うことが可能となる。
【００１５】
なお、支持部の数及び設ける位置については本実施例における略箱体の四隅に限定されるものではなく、本発明の趣旨を変更しない範囲で適宜変更可能である。
【００１６】
以上のように、本発明の高気密セパレート構造は、建築物において電気配線等を施す際に壁面等に開けられる配線用の開口に対して、セパレータを用いることによって配線作業等を容易に行うことを可能にし、少ない部品数で構成される気密性の高いセパレータを用いた気密構造を提供できるものである。
【図面の簡単な説明】
【００１７】
【図１】本発明の実施例１における、セパレータの斜視図である。
【図２】本発明の実施例１における、セパレータを壁面に設置した際の斜視図である。
【図３】本発明の実施例１における、既存の気密部材を併用して壁面に設置した際の斜視図である。
【図４】本発明の実施例２における、セパレータの斜視図である。
【図５】従来技術における、気密構造の分解斜視図である。
【符号の説明】
【００１８】
１１、２１、３１、４１    壁面
１２、２２、３２、４２    開口部
３、１３、２３、３３    セパレータ
４、１４、２４、３４    抜止部
５    ツメ部
３６    ネジ孔
１７、２７、３７、４７    電線
２８、３８、４８    気密部材
２９、３９    支持部
【図１】
2010022172.tif 000003
【図２】
2010022172.tif 000004
【図３】
2010022172.tif 000005
【図４】
2010022172.tif 000006
【図５】
2010022172.tif 000007